(57)【特許請求の範囲】
【請求項１】
送風回路の出口側に形成された吹き出し口と、上下方向の風向を変更する第１の上下方向風向変更羽根と、第２の上下方向風向変更羽根と、前記第１の上下方向風向変更羽根を保持する第１の腕部と、一端側を本体内に回動自在に保持され他端側に前記第２の上下方向風向変更羽根の上流側の端部を回転自在に保持する第２の腕部とを備え、前記第１の上下方向風向変更羽根の前記第１の腕部側の端部を前記第２の上下方向風向変更羽根の上面に接触させるように、前記第１の上下方向風向変更羽根と前記第１の腕部との接合部を前記第２の上下方向風向変更羽根と前記第２の腕部との接合部に近接させた状態で、近接した部分の位置を前記吹き出し口の上端付近と下端付近の間で変更して、前記第１の上下方向風向変更羽根の上面側を通過する吹き出し風と前記第２の上下方向風向変更羽根の下面側を通過する吹き出し風との風量配分を変更するとともに、前記近接させた状態で、前記第２の上下方向風向変更羽根を回動させることで前記第２の上下方向風向変更羽根の下面を通過する吹き出し風の風向を変更することを特徴とする空気調和機。
【請求項２】
前記第１の上下方向風向変更羽根は前記第１の腕部との接合部において回動自在に構成されるとともに、前記第１の上下方向変更羽根と前記第２の上下方向風向変更羽根とはそれぞれ独立に回動することを特徴とする請求項１に記載の空気調和機。
【発明の詳細な説明】
【技術分野】
【０００１】
本発明は、空気調和機における上下方向風向変更羽根の構成に関するものである。
【背景技術】
【０００２】
従来、家庭用空気調和機の上下方向風向変更羽根の構成は、図８（ａ）または図９（ａ）に示すように上下方向風向変更羽根８をディフューザー２付近に回動自在に配設するタイプと図８（ｂ）または図９（ｂ）に示すように水受け皿付近に回動自在に配設するタイプに大別される。図８（ａ）、図９（ｂ）は、それぞれのタイプにおける冷房時、図８（ｂ）、図９（ａ）は、それぞれのタイプにおける暖房時の上下方向風向変更羽根の回動停止位置（例）を示している。
【０００３】
また、これらとは別の構成として、上下風向制御板として上羽根と下羽根と備え、上下風向制御板の上羽根と下羽根を下方向に向けるとともに、前記上下風向制御板の上羽根を前記上下風向制御板の下羽根との平行位置より下方向に向け、前記上下風向制御板の下羽根を前記上下風向制御板の上羽根との平行位置より上方向に向けるようにした空気調和機（図１０（ａ）〜（ｃ））がある（例えば、特許文献１参照）。
【先行技術文献】
【特許文献】
【０００４】
【特許文献１】特開平５−６０３６５号公報
【発明の概要】
【発明が解決しようとする課題】
【０００５】
しかしながら、上記従来の構成である図８（ａ）では、冷房運転時には上下方向風向変更羽根及びその羽根形状に沿って冷風１１は水平方向ないし、上向き方向に送風され、図１１の冷風１７のように部屋の遠くまで冷風を運ぶことができる。これによって、人に直接冷風を当てることなく、気流感の少ない快適な環境が創れるとともに、効率的に部屋全体を冷やすことができる。しかしながら、図９（ａ）の温風１０のように暖房運転時には周囲の空気より温度の高く軽くなった気流１０’が生成され、上下方向風向変更羽根から剥離していく。これにより、図１２の温風１９のように床面方面への到達性が悪化するとともに、部屋全体を効率的に暖めることができず省エネ性が悪化するという課題を有していた。
【０００６】
また、図８（ｂ）の構成では、暖房運転時には周囲の空気より温度の高く軽くなった温風１０は上下方向風向変更羽根及び羽根形状により抑えられることにより、図１２の温風２０のように床面への到達性が良くなる。しかしながら、図１３（ａ）のように、空気調和機の吹き出し口に比較的近い位置に居る居住者は、体に温風を感じることによる不快感をできるだけ抑えるために、通常吹き出し風量の設定を弱める調整を行うと、温風は居住者の足元までしか届かず、天井や壁面等も含めた居室内全体が暖まらないため暖房感が低下する。またこのような状況下で、居住者は設定温度を上げて体感を保持しようとすると、効率的な暖房ができず省エネ性も悪化するという課題を有していた。
【０００７】
また、図１３（ｂ）のように、吹き出し風が全て下向きに吹き出されると、障害物１６に当たって吹き出し風が舞い上がって障害物１６の手前の空間で循環していまい、障害物１６の奥の空間が暖まらず、障害物１６の奥の居住者の暖房感が低下する。また、このような状況下で、障害物１６の奥の居住者が設定温度を上げて体感を保持しようとすると、効率的な暖房ができず省エネ性が悪化するだけでなく、障害物１６の手前の居住者にとっ
ては暖めすぎで快適感が低下するという課題を有していた。
【０００８】
また、図９（ｂ）の構成では、冷房運転時には周囲の空気より温度が低く重くなった冷風１１は上下方向風向変更羽根から剥離することにより冷風１１’が生成され、図１１のように冷風１８を部屋の遠方までを運ぶことができなくなり、吹き出した冷風が居住者に直接あたって肌寒さを感じさせるとともに、部屋全体を効率的に冷やすことができず省エネ性が悪化するという課題を有していた。
【０００９】
また、図１４のように、居室内中央付近の居住者が、冷風が体に直接当たる冷風感を弱めるために、吹き出し風量の設定を弱めるように調整を行うと、冷風は居住者の手前までしか届かず、天井や壁面等も含めた居室内全体が冷やされないため冷房感が低下する。また、このような状況下で、暑さのために居住者が設定温度を下げて体感を保持しようとすると、効率的な冷房ができず省エネ性が悪化するという課題を有していた。
【００１０】
上記特許文献１に記載されている空気調和機においては、温風を縮流効果により風速を増し、冷風、温風の到達性を良くすることはできるが、暖房時には図８（ｂ）の構成と同様の課題を有し、冷房時には図９（ｂ）の構成と同様の課題を有していた。
【００１１】
本発明はこのような従来の課題を解決するものであり、快適な空調環境を創り出すとともに、より効率良く室内を空調する省エネ性に優れた空気調和機を提供することを目的とする。
【課題を解決するための手段】
【００１２】
上記課題を解決するために本発明は、送風回路の出口側に形成された吹き出し口と、上下方向の風向を変更する第１の上下方向風向変更羽根と、第２の上下方向風向変更羽根と、前記第１の上下方向風向変更羽根を保持する第１の腕部と、一端側を本体内に回動自在に保持され他端側に前記第２の上下方向風向変更羽根の上流側の端部を回転自在に保持する第２の腕部とを備え、前記第１の上下方向風向変更羽根の前記第１の腕部側の端部を前記第２の上下方向風向変更羽根の上面に接触させるように、前記第１の上下方向風向変更羽根と前記第１の腕部との接合部を前記第２の上下方向風向変更羽根と前記第２の腕部と
の接合部に近接させた状態で、近接した部分の位置を前記吹き出し口の上端付近と下端付近の間で変更して、前記第１の上下方向風向変更羽根の上面側を通過する吹き出し風と前記第２の上下方向風向変更羽根の下面側を通過する吹き出し風との風量配分を変更するとともに、前記近接させた状態で、前記第２の上下方向風向変更羽根を回動させることで前記第２の上下方向風向変更羽根の下面を通過する吹き出し風の風向を変更するものである。
【発明の効果】
【００１３】
このように、本発明によれば、２枚の上下方向風向変更羽根の自在な駆動によって冷暖房における快適性と省エネ性を両立する空気調和機を提供できる。
【図面の簡単な説明】
【００１４】
【図１】本発明の実施の形態１における空気調和機の運転時の横断面図
【図２】本発明の実施の形態１における上下方向風向変更羽根の分解斜視図
【図３】本発明の実施の形態１における暖房時の各気流制御の説明図
【図４】本発明の実施の形態１における冷房時の各気流制御の説明図
【図５】本発明の実施の形態１における暖房時の居室内の各気流の状態図
【図６】本発明の実施の形態１における冷房時の居室内の各気流の状態図
【図７】本発明の実施の形態１における空気調和機の停止時の横断面図
【図８】従来の空気調和機の冷房時の各風向制御の説明図
【図９】従来の空気調和機の暖房時の各風向制御の説明図
【図１０】従来の空気調和機の縮流生成方法の説明図
【図１１】従来の空気調和機の冷房時の居室内の気流の状態図
【図１２】従来の空気調和機の暖房時の居室内の気流の状態図
【図１３】従来の空気調和機の暖房時の居室内の各気流の状態図
【図１４】従来の空気調和機の冷房時の居室内の気流の状態図
【発明を実施するための形態】
【００１５】
第１の発明は、送風回路の出口側に形成された吹き出し口と、上下方向の風向を変更する第１の上下方向風向変更羽根と、第２の上下方向風向変更羽根と、前記第１の上下方向風向変更羽根を保持する第１の腕部と、一端側を本体内に回動自在に保持され他端側に前記第２の上下方向風向変更羽根の上流側の端部を回転自在に保持する第２の腕部とを備え、前記第１の上下方向風向変更羽根の前記第１の腕部側の端部を前記第２の上下方向風向変更羽根の上面に接触させるように、前記第１の上下方向風向変更羽根と前記第１の腕部との接合部を前記第２の上下方向風向変更羽根と前記第２の腕部との接合部に近接させた状態で、近接した部分の位置を前記吹き出し口の上端付近と下端付近の間で変更して、前記第１の上下方向風向変更羽根の上面側を通過する吹き出し風と前記第２の上下方向風向変更羽根の下面側を通過する吹き出し風との風量配分を変更するとともに、前記近接させた状態で、前記第２の上下方向風向変更羽根を回動させることで前記第２の上下方向風向変更羽根の下面を通過する吹き出し風の風向を変更するものである。
【００１６】
これにより、吹き出し口の上部からの吹き出し風と下部からの吹き出し風との風量配分を変更することで、暖房時には、下部からの吹き出し風は居室内の居住者に合わせて温風の強さを調節可能となり、直接人に温風を当てないようにしながら足元を暖める快適な暖房環境を提供するとともに、上部からの吹き出し風はより効率良く室内全体に温風を循環させる省エネ性に優れた暖房空調とを同時に実現することができる。
【００１７】
また、冷房時には、下部からの吹き出し風は居室内の居住者に合わせて冷風の強さを好みに合わせて調節可能となり、一人一人の体感に適した冷房環境を提供するとともに、上部からの吹き出し風は直接人に冷風を当てないようにしながらより効率良く室内全体に冷風を循環させる省エネ性に優れた冷房空調を同時に実現することができる。
【００１８】
第２の発明は、特に第１の発明において、前記第１の上下方向風向変更羽根は前記第１の腕部との接合部において回動自在に構成されるとともに、前記第１の上下方向変更羽根と前記第２の上下方向風向変更羽根とはそれぞれ独立に回動するものである。
【００１９】
これにより、吹き出し口の上部からの吹き出し風と下部からの吹き出し風との風量配分を変更すると同時に、上部及び下部の各々の吹き出し風の上下風向を独立に変更することで、暖房時には、下部からの吹き出し風は居室内の居住者に合わせて温風の強さや上下方向を調節可能となり、直接人に温風を当てないようにしながら足元を暖める快適な暖房環境を提供するとともに、上部からの吹き出し風はより効率良く室内全体に温風を循環させる省エネ性に優れた暖房空調とを同時に実現することができる。
【００２０】
また、冷房時には、下部からの吹き出し風は居室内の居住者に合わせて冷風の強さや上下方向を好みに合わせて調節可能となり、一人一人の体感に適した冷房環境を提供するとともに、上部からの吹き出し風は直接人に冷風を当てないようにしながらより効率良く室内全体に冷風を循環させる省エネ性に優れた冷房空調を同時に実現することができる。
【００２１】
以下、本発明の実施の形態について、図面を参照して説明する。なお、この実施の形態によって本発明が限定されるものではない。
【００２２】
（実施の形態１）
図１は、本実施の形態の空気調和機の運転時の横断面図を示している。同図において、空気調和機１はその本体内部に熱交換器３と、室内に吹き出し風を循環させる送風ファン４及び吹き出し口５までのディフューザー２と水受け皿１２とを備えている。熱交換器３は、送風ファン４の上流側に配置され、水受け皿１２は、熱交換器３の下端部側に配置されている。ディフューザー２は送風ファン４の下流側の通風路を形成している。吹き出し口５は、本体の前面下部から下面にかけて形成されている。
【００２３】
また、空気調和機１は、２枚の上下方向風向変更羽根を備えている。第１の上下方向風向変更羽根８ａと第２の上下方向風向変更羽根８ｂとは、吹き出し口５付近にそれぞれ第１の腕部６ａと第２の腕部６ｂにより保持されている。第１の上下方向風向変更羽根８ａと第２の上下方向風向変更羽根８ｂは、それぞれ孤を描く横断面形状をしており、一方の面は湾曲凹面が形成され、他方の面は湾曲凸面が形成されている。
【００２４】
第１の腕部６ａは、一端側を本体内に回動自在に保持され、他端側に第１の上下方向風向変更羽根８ａを回動自在に保持している。また、第２の腕部６ｂは、一端側を本体内に回動自在に保持され、他端側に第２の上下方向風向変更羽根８ｂを回動自在に保持している。第１の上下方向風向変更羽根８ａは、第１の腕部６ａに対して水平となる状態で、湾曲凹面が前方または上方に向くように第１の腕部６ａに取り付けられている。一方、第２の上下方向風向変更羽根８ｂは、第２の腕部６ｂに対して水平となる状態で、湾曲凸面が前方または上方に向くように第１の腕部６ａに取り付けられている。
【００２５】
また、空気調和機１には、左右方向風向変更羽根や熱交換温度検出器、マイクロコンピュータなどが備えられている。なお、送風ファン４にはクロスフローファンを採用するのが望ましい。
【００２６】
図２は上下方向風向変更羽根と腕部の分解斜視図を表している。２組の上下方向風向変更羽根と腕部は、基本構造は同一のため、第２の上下方向風向変更羽根８ｂと第２の腕部６ｂを基に構造を説明し、第１の上下方向風向変更羽根８ａと第１の腕部６ａの詳細な構造の説明は省略する。
【００２７】
第２の腕部６ｂを回動させる駆動装置である第２の腕部用モータ１３ｂは、ディフューザー２と水受け皿１２間で、この図の奥行き方向に配され、第２の腕部用モータ１３ｂの出力軸１３ｂ’に結合された第２の腕部６ｂは、この出力軸１３ｂ’を中心に吹き出し口５の前方を自在に回動７することで、第２の上下方向風向変更羽根８ｂの配置を吹き出し口５の上端付近と下端付近の間で自在に移動させることができる。
【００２８】
また、第２の腕部６ｂの一端には第２の上下方向風向変更羽根８ｂを回動させる駆動装置である第２の羽根用モータ１４ｂを配置し、第２の腕部６ｂの他端に配置された第２の上下方向風向変更羽根８ｂの軸と、第２の羽根用モータ１４ｂの出力軸１４ｂ’とを機械的に結合している。このため、第２の上下方向風向変更羽根８ｂが自在に回動９し、第２の上下方向風向変更羽根８ｂの周囲を通過する気流の上下方向の風向を変更することができる。
【００２９】
望ましくは、第２の腕部６ｂには、第２の上下方向風向変更羽根８ｂの駆動を行う第２の羽根用モータ１４ｂの軸出力伝達機構を内蔵している。第２の羽根用モータ１４ｂの軸出力１４ｂ’は第２の腕部６ｂに内蔵されたプーリ２３に連結され、その第２の腕部６ｂの内部にタイミングベルト２４、第２の上下方向風向変更羽根８ｂの軸に連結されたプーリ２２を配し、プーリ２２、２３やタイミングベルト２４を介して第２の上下方向風向変更羽根８ｂを自在に回動９させることができる。また、一方の第２の腕部６ｂのボス２１は空気調和機１の本体に配設された穴に支持され、他方の第２の腕部６ｂのボスは第２の腕部用モータ１３ｂの出力軸１３ｂ’に連結され、自在に回動７させることができる。
【００３０】
この望ましい構成によれば、第２の羽根用モータ１４ｂを空気調和機１の本体側に配設することができ、第２の腕部６ｂの重量が軽減されることにより、第２の腕部６ｂの先端に第２の羽根用モータを配する場合に比べ、第２の腕部６ｂの回動に対し第２の腕部用モータ１３ｂのトルクが低減されるため、第２の腕部用モータ１３ｂの小型化ができる。
【００３１】
なお、上記第２の上下方向風向変更羽根８ｂの駆動を行う第２の羽根用モータ１３ｂの軸出力伝達機構をタイミングベルトとプーリの代わりに、ギヤの組み合わせによる駆動力伝達機構を用いても同様の効果を得ることができる。
【００３２】
上記第２の上下方向風向変更羽根８ｂの駆動装置と同様の構造の駆動装置が第１の上下方向風向変更羽根８ａ用にも別に設けられており、第１の腕部８ａは、第１の腕部用モータ６ａにより、第２の腕部８ｂとは独立して駆動させることができ、また、第１の上下方向風向変更羽根８ａは、第１の羽根用モータ１４ａにより、第２の上下方向風向変更羽根８ｂとは独立して駆動させることができる。
【００３３】
次に、図３（ａ）〜（ｃ）は本実施の形態の風向制御装置による２枚の上下方向風向変更羽根の暖房時の気流制御動作を表している。また、図５（ａ）〜（ｃ）はこれら各々の気流制御動作での居室内の空気の流れを示した図である。
【００３４】
図３（ａ）では、第１の上下方向風向変更羽根８ａの第１の腕部６ａ側の端部を第２の上下方向風向変更羽根８ｂの上面に近接させるとともに、この近接した部分の位置を吹き出し口５の上端部と下端部の中央よりやや上端部寄りに移動することによって、第１の上下方向風向変更羽根８ａの上面側を通過する吹き出し風１５ａの風量配分を約３０％、第２の上下方向風向変更羽根８ｂの下面側を通過する吹き出し風１５ｂの風量配分を約７０％にすることができる。
【００３５】
また、第１の上下方向風向変更羽根８ａの上下方向風向を第１の羽根用モータ１４ａで、第２の上下方向風向変更羽根８ｂの上下方向風向を第２の羽根用モータ１４ｂで調整することによって、図５（ａ）−１に示すように、第２の上下方向風向変更羽根８ｂの下面側を通過する吹き出し風１５ｂは、下向きに吹き出されて居室内中央付近の居住者に直接温風を当てないようにしながら足元を暖めるとともに、第１の上下方向風向変更羽根８ａの上面側を通過する吹き出し風１５ａは、ほぼ水平向きに吹き出されて天井から空気調和機１が設置された壁の対面の壁に沿って居室内全体を循環させることで、天井や壁面等も含めた居室内をより効率良く暖めることができより省エネ性の高い暖房を実現することができる。
【００３６】
また、図３（ａ）において、第２の上下方向風向変更羽根８ｂを破線で示す８ｂ’の位置に移動させた場合には、上下方向風向を第２の羽根用モータ１４ｂで第２の上下方向風向変更羽根８ｂよりもやや上向きに調整することによって、吹き出し風１５’（破線で示す）は、図５（ａ）−２に示すように、例えば、居室内中央付近よりやや遠めの居住者の足元を暖めることができる。よって、居住者の居場所が変化しても居住者の要望に合わせて常に最適な上下方向の風向に調節することができ、より快適な温風を居住者に届けることができる。なお、センサー等で人の位置を検知する手段があれば、自動的に最適な上下方向の風向に調整することも可能である。
【００３７】
図３（ｂ）では、第１の上下方向風向変更羽根８ａの第１の腕部６ａ側の端部を第２の上下方向風向変更羽根８ｂの上面に近接させるとともに、この近接した部分の位置を吹き出し口５の上端部と下端部の中央よりやや下端部寄りに移動することによって、第１の上下方向風向変更羽根８ａの上面側を通過する吹き出し風１５ａの風量配分を約７０％、第２の上下方向風向変更羽根８ｂの下面側を通過する吹き出し風１５ｂの風量配分を約３０％にすることができる。この制御動作例では、図３（ａ）の制御動作例とは逆に吹き出し口の上部からの吹き出し風よりも下部からの吹き出し風をより少なく配分している。
【００３８】
これらの制御動作例のように、第１の上下方向風向変更羽根８ａと第１の腕部６ａとの
接合部を第２の上下方向風向変更羽根８ｂと第２の腕部６ｂとの接合部に近接させ、近接した部分の位置を吹き出し口の上端部と下端部の間で移動させることによって、吹き出し口の上部からの吹き出し風と下部からの吹き出し風との風量配分を自在に変更することができる。
【００３９】
さらに、図３（ｂ）において、第１の上下方向風向変更羽根８ａの上下方向風向を第１の羽根用モータ１４ａで、第２の上下方向風向変更羽根８ｂの上下方向風向を第２の羽根用モータ１４ｂで調整することによって、図５（ｂ）−１に示すように、第２の上下方向風向変更羽根８ｂの下面側を通過する吹き出し風１５ｂは、より弱めの風量で下向きに吹き出されて、居室内中央付近より手前の居住者に温風感をできるだけ感じさせないようにしながら足元を暖めることができるとともに、第１の上下方向風向変更羽根８ａの上面側を通過する吹き出し風１５ａは、ほぼ水平向きに吹き出されて天井から空気調和機１が設置された壁の対面の壁に沿って居室内全体を循環させることで、天井や壁面等も含めた居室内をより効率良く暖めより省エネ性の高い暖房を実現することができる。
【００４０】
また、図５（ｂ）−２に示すように、居室内の床に置かれたソファや収納棚等の家具や什器等の障害物１６の前後に居住者が居た場合には、第２の上下方向風向変更羽根８ｂの下面側を通過する吹き出し風１５ｂは、障害物１６の手前の居住者の足元を暖め、第１の上下方向風向変更羽根８ａの上面側を通過する吹き出し風１５ａは、ほぼ水平向きに吹き出されることで障害物１６に妨げられることなく、天井から空気調和機１が設置された壁の対面の壁に沿って温風が循環し、障害物１６の奥の居住者がいる空間も暖めることができる。
【００４１】
このように、本実施の風向制御装置では、居住者が近くに居る場合や、居住者が温風の気流感を好まない時でも、居室内への吹き出し風の風量を十分確保して居室全体を効率よく暖めながら、より温風感を弱めて暖房の快適感を向上させることができる。また、温風の到達を妨げる障害物１６が床上にある場合であっても、障害物１６の手前の居住者だけでなく奥にいる居住者にも同時に温風を届けることができるため、両方の居住者の暖房感を満足させながら、より効率的で省エネ性に優れた暖房を行うことができる。
【００４２】
図３（ｃ）では、第１の上下方向風向変更羽根８ａの第１の腕部６ａ側の端部を第２の上下方向風向変更羽根８ｂの上面に近接させるとともに、この近接した部分の位置を吹き出し口５の上端部まで移動することによって、吹き出し風全体の風量を１００％とした時に第１の上下方向風向変更羽根８ａの上面側を通過する吹き出し風の風量配分をほぼ０％、第２の上下方向風向変更羽根８ｂの下面側を通過する吹き出し風１５の風量配分をほぼ１００％にすることができる。
【００４３】
また、第２の上下方向風向変更羽根８ｂの上下方向風向を第２の羽根用モータ１４ｂで調整することによって、図５（ｃ）に示すように、吹き出し風５を全て下向きに吹き出して温風を居室内中央付近の居住者の足元に全て集中させることができる。この気流制御動作によって、例えば、運転開始時等の居室内の室温が設定温度に達していない時や、寒い屋外から居室内に入ってきた時に足元を集中的に急速に暖めてより速暖感を向上させることができる。
【００４４】
図４（ａ）〜（ｃ）は本実施の形態の風向制御装置による２枚の上下方向風向変更羽根の冷房時の気流制御動作を表している。また、図６（ａ）〜（ｃ）はこれら各々の気流制御動作での居室内の空気の流れを示した図である。
【００４５】
図４（ａ）では、第１の上下方向風向変更羽根８ａの第１の腕部６ａ側の端部を第２の上下方向風向変更羽根８ｂの上面に近接させるとともに、この近接した部分の位置を吹き
出し口５の上端部と下端部の中央よりやや上端部寄りに移動することによって、第１の上下方向風向変更羽根８ａの上面側を通過する吹き出し風１５ａの風量配分を約３０％、第２の上下方向風向変更羽根８ｂの下面側を通過する吹き出し風１５ｂの風量配分を約７０％にすることができる。
【００４６】
また、第１の上下方向風向変更羽根８ａの上下方向風向を第１の羽根用モータ１４ａで、第２の上下方向風向変更羽根８ｂの上下方向風向を第２の羽根用モータ１４ｂで調整することによって、図６（ａ）−１に示すように、第２の上下方向風向変更羽根８ｂの下面側を通過する吹き出し風１５ｂは下向きに吹き出され、居室内中央付近にいる、例えば、気流感を好む居住者や、暑がりの居住者、また風呂上りや運動後等で暑く感じている居住者等に対して冷風を直接当てて涼しさ感を高めるとともに、第１の上下方向風向変更羽根８ａの上面側を通過する吹き出し風１５ａは、水平ないしやや上向きに吹き出されて天井から空気調和機１が設置された壁の対面の壁に沿って居室内全体を循環させることで、天井や壁面等も含めた居室内をより効率良く冷やすことができより省エネ性に優れた冷房を実現することができる。
【００４７】
また、図４（ａ）において、第２の上下方向風向変更羽根８ｂを破線で示す８ｂ’の位置に移動させた場合には、上下方向風向を第１の羽根用モータ１４ａで第２の上下方向風向変更羽根８ｂよりもやや上向きに調整することによって、吹き出し風１５’（破線で示す）は、図６（ａ）−２に示すように、例えば、居室内中央よりやや近めの居住者に冷風を向けることができる。よって、居住者の居場所が変化しても居住者の要望に合わせて常に最適な上下方向の風向に調節することができ、より快適な冷風を居住者に届けることができる。なお、センサー等で人の位置を検知する手段があれば、自動的に最適な上下方向の風向に調整することも可能である。
【００４８】
図４（ｂ）では、第１の上下方向風向変更羽根８ａの第１の腕部６ａ側の端部を第２の上下方向風向変更羽根８ｂの上面に近接させるとともに、この近接した部分の位置を吹き出し口５の上端部と下端部の中央よりやや下端部寄りに移動することによって、第１の上下方向風向変更羽根８ａの上面側を通過する吹き出し風１５ａの風量配分を約７０％、第２の上下方向風向変更羽根８ｂの下面側を通過する吹き出し風１５ｂの風量配分を約３０％にすることができる。この制御動作例では、図４（ａ）の制御動作例とは逆に吹き出し口の上部からの吹き出し風よりも下部からの吹き出し風をより少なく配分している。
【００４９】
これによって、図６（ｂ）に示すように、第２の上下方向風向変更羽根８ｂの下面側を通過する吹き出し風１５ｂは、図６（ａ）の場合よりも弱めの風量で下向きに吹き出され、居室内中央付近にいる、例えば、弱めの気流感を好む居住者や、やや暑がりの居住者、また軽作業後等でやや暑く感じている居住者等に対して弱めの冷風を直接当てて適度な涼しさ感を与えるとともに、第１の上下方向風向変更羽根８ａの上面側を通過する吹き出し風１５ａは、ほぼ水平向きに吹き出されて天井から空気調和機１が設置された壁の対面の壁に沿って居室内全体を循環させることで、天井や壁面等も含めた居室内をより効率良く冷やしより省エネ性に優れた冷房を同時に実現することができる。
【００５０】
これらの制御動作例のように、第１の上下方向風向変更羽根８ａと第１の腕部６ａとの接合部を第２の上下方向風向変更羽根８ｂと第２の腕部６ｂとの接合部に近接させ、近接した部分の位置を吹き出し口の上端部と下端部の間で移動させることによって、吹き出し口の上部からの吹き出し風と下部からの吹き出し風との風量配分を自在に変更することができる。
【００５１】
このように、本実施の風向制御装置では、居住者への冷風感を自在に調整できることで一人一人の居住者にとってより適した快適な冷房環境を提供しながら、同時に居室内への
吹き出し風の風量を十分確保して居室全体を効率よく冷やすことで優れた省エネ性を実現することができる。
【００５２】
図４（ｃ）では、第１の上下方向風向変更羽根８ａの第１の腕部６ａ側の端部を第２の上下方向風向変更羽根８ｂの上面に近接させるとともに、この近接した部分の位置を吹き出し口５の下端部まで移動することによって、吹き出し風全体の風量を１００％とした時に第１の上下方向風向変更羽根８ａの上面側を通過する吹き出し風の風量配分をほぼ１００％、第２の上下方向風向変更羽根８ｂの下面側を通過する吹き出し風１５の風量配分をほぼ０％にすることができる。また、第２の上下方向風向変更羽根８ｂの上下方向風向を第２の羽根用モータ１４ｂで調整することによって、図６（ｃ）に示すように、吹き出し風５を全て水平ないし上向きに吹き出して冷風を居室内中央付近の居住者に全く当たらないようにすることができる。
【００５３】
この気流制御動作によって、例えば、居住者が長い間じっと座っていたり寝ていたりすることで代謝量が低下して冷えを感じやすくなっている時や、女性等で手足に冷えを感じやすく冷風が直接当たるのを好まない居住者等の場合に、冷風が直接当たらないようにして冷風感をなくし、冷房時の快適感を向上させることができる。
【００５４】
なお、図７は、本実施の形態の空気調和機の運転停止時において、第１の上下方向風向変更羽根８ａ、第２の上下方向風向変更羽根８ｂが各々駆動されて吹き出し口５内部に格納された状態での横断面図を表しており、空気調和機１の本体から第１の上下方向風向変更羽根８ａ、第２の上下方向風向変更羽根８ｂがはみ出したり出っ張ったりことなくコンパクトに本体内に収納することができるとともに、デザイン性にも優れた外観を得ることができる。
【００５５】
以上の実施の形態によれば、下部からの吹き出し風は、居室内の居住者の要望、好みや活動状況、居場所、さらには、居室内の家具等の設置状況、空調の運転状況等に合わせて、温風及び冷風の強さや上下方向風向を調節して、一人一人の体感に適した冷暖房環境を提供するとともに、上部からの吹き出し風は居室内全体により効率良く温風及び冷風を循環させる実使用での省エネ性に優れた冷暖房空調とを同時に実現することができる。
【産業上の利用可能性】
【００５６】
本発明にかかる空気調和機は、居室内の冷暖房において居住者一人一人の快適性を損なうことなく、効率の良い省エネ性に優れた空調を実現したので、一般家庭用の空気調和機や店舗用、事務所用などの空気調和機として有用である。
【符号の説明】
【００５７】
１  空気調和機
２  ディフューザー
３  室内熱交換器
４  送風ファン
５  吹き出し口
６ａ  第１の腕部
６ｂ  第２の腕部
７  腕部回動範囲
８ａ  第１の上下方向風向変更羽根
８ｂ  第２の上下方向風向変更羽根
９  上下方向風向変更羽根回動範囲
１０  暖房時の気流
１１  冷房時の気流
１２  水受け皿
１３ａ、１３ｂ  腕部用モータ
１４ａ、１４ｂ  羽根用モータ
１５  空気調和機の吹き出し口からの気流
１６  障害物
１７  本発明の実施の形態による冷房時の居室内の気流
１８  従来例による冷房時の居室内の気流
１９  本発明の実施の形態による暖房時の居室内の気流
２０  従来例による暖房時の居室内の気流
２１  ボス
２２、２３  プーリ
２４  タイミングベルト
【図１】
0005471766.tif 000002
【図２】
0005471766.tif 000003
【図３】
0005471766.tif 000004
【図４】
0005471766.tif 000005
【図５】
0005471766.tif 000006
【図６】
0005471766.tif 000007
【図７】
0005471766.tif 000008
【図８】
0005471766.tif 000009
【図９】
0005471766.tif 000010
【図１０】
0005471766.tif 000011
【図１１】
0005471766.tif 000012
【図１２】
0005471766.tif 000013
【図１３】
0005471766.tif 000014
【図１４】
0005471766.tif 000015